(57)【要約】      （修正有）【課題】ゴースト現象を低減する撮像装置を提供する。【解決手段】撮像装置１の内部構造を外界から保護するカバーガラス５であって、カバーガラスの内部構造側表面である第一カバーガラス面３０が凸面又は凹面である特徴を持つカバーガラスを備える。【選択図】図２
2019109384.tif 000002
【特許請求の範囲】
【請求項１】
撮像装置の内部構造を外界から保護するカバーガラスであって、
前記カバーガラスの前記内部構造側表面である第一カバーガラス面が凸面又は凹面である特徴を持つカバーガラス。
【請求項２】
前記第一カバーガラス面の曲率半径は５０００ｍｍ以下であることを特徴とする請求項１に記載のカバーガラス。
【請求項３】
前記第一カバーガラス面は、前記内部構造側が凹面であることを特徴とする請求項１又は請求項２に記載のカバーガラス。
【請求項４】
前記カバーガラスの前記外界側表面である第二カバーガラス面は、凸面であることを特徴とする請求項１から請求項３のうちのいずれか一項に記載のカバーガラス。
【請求項５】
前記第二カバーガラス面の曲率半径が、前記第一カバーガラス面の曲率半径と略等しいことを特徴とする請求項４に記載のカバーガラス。
【請求項６】
請求項１から請求項５のうちのいずれか一項に記載の前記カバーガラスを備える前記撮像装置であって、
筐体と、
前記筐体に内蔵される光学レンズ群と、
前記カバーガラス及び前記光学レンズ群を介して入射した光を受光する撮像素子と
を更に備えることを特徴とする撮像装置。
【請求項７】
前記カバーガラスが前記筐体に直接固定されていることを特徴とする請求項６に記載の撮像装置。
【請求項８】
請求項７に記載の前記撮像装置を備える携帯用電子機器。
【発明の詳細な説明】
【技術分野】
【０００１】
本発明は、撮像装置の内部構造を保護するカバーガラス及び撮像装置に関する。
【背景技術】
【０００２】
スマートフォン、携帯電話等の携帯用電子機器に搭載されるカメラや、コンパクトデジタルカメラ等撮像装置の発達、及び、それらの画像を公開するインターネットサイトの一般化に伴い、撮像装置により撮像される画像はより良い品質が要求されるようになっている。具体的に良い品質の画像とは、解像度や色再現性が良く、また不要な虚像、すなわちゴーストやフレアが写り込んでいない画像である。特に明るい点光源の被写体、例えば太陽、夜間における街燈等が含まれるシーンを撮影した時のゴースト現象やフレアは問題になる場合が多くある。
【０００３】
図７（Ａ）は、携帯用電子機器の筐体１０７に搭載される撮像装置１０１の説明図である。撮像装置１０１の最も外界側には、撮像装置１０１の内部構造、具体的には光学レンズ群等を保護するためのカバーガラス１０５が備えられる。
【０００４】
図７（Ｂ）は、撮像装置１０１の構成を説明する説明図である。撮像装置１０１は、外界側から携帯用電子機器の筐体１０７に固定されるカバーガラス１０５と、光学レンズ群（内部構造）１１０と、ＩＲフィルタ（赤外光フィルタ）１１５と、撮像素子１２０を備える。外界からの平行光線は、図の破線のように撮像素子１２０の撮像面１２５に焦点を結ぶ。
【０００５】
図８は、既存の携帯用電子機器に付属する撮像装置によって撮影された、ゴースト現象を伴う夜間の画像である。Ｒｅは街灯の実像であり、Ｇがそのゴーストである。明るい点光源を撮像すると、画像の中心に対して点対称の位置に、明確に焦点が合った点光源のゴーストが写りこむことがわかる。
【先行技術文献】
【特許文献】
【０００６】
【特許文献１】特開２０１０−２３０７５１号公報
【発明の概要】
【発明が解決しようとする課題】
【０００７】
これまで光学レンズの両面に施す反射防止膜の構造や仕様を工夫し、レンズ面での不要な反射光を低減することや、カメラの内部構造における反射光を低減することで、ゴースト現象を低減する努力を続けられている（特許文献１参照）。しかし撮像装置においてゴースト現象を大きく低減することは困難であった。
【０００８】
本発明は、斯かる実情に鑑み、ゴースト現象を大幅に低減する撮像装置を提供しようとするものである。
【課題を解決するための手段】
【０００９】
本願の発明者は、画質の改善について鋭意研究を行った。そして、撮像装置の全体構造における光線の反射特性に着目し、ゴースト現象の原因を明らかにして本願発明の構成に至った。
【００１０】
図１は、ゴースト現象の原因についての説明図である。図１には、光学レンズ群１１０やカバーガラス１３０、撮像素子１２０の法線Ｎに対してθ＝２°の傾きを持つ入射光線Ｉを入射させた場合のシミュレーション結果を示す。入射光線Ｉは実線のように撮像素子１２０まで到達して撮像面１２５上に焦点を結んで実像Ｒｅを生成し、撮像面１２５で反射された後、第一反射光線Ｒ１のような光路を辿ってカバーガラス１０５に到達する。そしてカバーガラス１０５の内部構造側面である第一カバーガラス面１３０に反射され、第二反射光線Ｒ２の光路を辿って撮像面１２５上に焦点を結んでゴーストＧを生成することがシミュレーションの結果わかった。すなわちゴーストの主な原因が、撮像面１２５、及び、内部構造側面である第一カバーガラス面１３０の二回の反射によるものであることが確認された。
【００１１】
スマートフォン、スマートフォン等の携帯用電子機器に搭載されるカメラやコンパクトデジタルカメラの撮像素子にはＣＭＯＳセンサやＣＣＤなどイメージセンサが使用されている。特にスマートフォン、携帯電話に搭載されるカメラは、カメラの構造が小型であるが故に、オートフォーカスは光学レンズ群全体をイメージセンサに対して前後に動かす構造になっている。この光学レンズ群１１０に手指等が触れないよう、光学レンズ群（内部構造）１１０の外界側にカバーガラス１０５を設けている。すなわち、このカバーガラス１０５を無くすことは不可能である。
【００１２】
このゴーストを無くすためには、撮像面１２５の反射率を低くすることや、カバーガラス１０５の反射率を低くすること等が考えられる。しかし、それぞれの可視光領域における反射率が１％以下であっても、強い輝度を持つ点光源の被写体では、ゴーストが発生してしまう。またそれぞれの反射率を低くするには、反射防止のための誘電体多層膜等の構造が複雑になり、実用上作成が困難になる。
【００１３】
そこで発明者は、ゴーストについて、撮像面で焦点が合っていることに着目して、ゴーストを無くすのではなく、その焦点が合わない状態にすれば、目障りにならない程度にゴーストの輝度を低減できると考えた。そしてカバーガラスを曲面にすればゴーストの焦点が撮像面からはずれることで画像が向上するという本願発明の構成に至った。
【００１４】
（１）本発明は、撮像装置の内部構造を外界から保護するカバーガラスであって、前記カバーガラスの前記内部構造側表面である第一カバーガラス面が凸面又は凹面である特徴を持つカバーガラスを提供する。
【００１５】
上記（１）に記載する発明によれば、カバーガラスの内部構造側表面である第一カバーガラス面が凸面又は凹面であるため、カバーガラスの内部構造側表面が撮像素子の撮像面からの反射光線をさらに反射した場合にも、撮像素子の撮像面で焦点を結ばなくなる。したがってゴーストがぼやけてゴーストが目立ち難くなり、撮像される画像の画質が向上するという優れた効果を奏する。
【００１６】
（２）本発明は、前記第一カバーガラス面の曲率半径が５０００ｍｍ以下であることを特徴とする上記（１）に記載のカバーガラスを提供する。
【００１７】
上記（２）に記載する発明によれば、カバーガラスの内部構造側表面が撮像素子の撮像面からの反射光線をさらに反射した場合にも、撮像面で焦点を結ばなくなる。したがってゴーストがぼやけてゴーストが目立ち難くなり、撮像される画像の画質が向上するという優れた効果を奏する。
【００１８】
（３）本発明は、前記第一カバーガラス面は、前記内部構造側が凹面であることを特徴とする上記（１）又は上記（２）に記載のカバーガラスを提供する。
【００１９】
上記（３）に記載する発明によれば、カバーガラスの内部構造側表面が撮像素子の撮像面からの反射光線をさらに反射した場合にも、撮像面より光学レンズ群側で焦点を結ぶため、撮像面で焦点を結ばなくなる。したがってゴーストがぼやけてゴーストが目立ち難くなり、撮像される画像の画質が向上するという優れた効果を奏する。
【００２０】
（４）本発明は、前記カバーガラスの前記外界側表面である第二カバーガラス面は、凸面であることを特徴とする上記（１）乃至上記（３）のうちのいずれかに記載のカバーガラスを提供する。
【００２１】
上記（４）に記載する発明によれば、カバーガラスの内部構造側表面である第一カバーガラス面と空気の間の屈折効果と、カバーガラスの外界側表面である第二カバーガラス面と空気の間の屈折効果が打ち消し合い得るので、カバーガラスによるレンズ効果が低減されて、画像の歪みを生じ難くするという優れた効果を奏する。
【００２２】
（５）本発明は、前記第二カバーガラス面の曲率半径が、前記第一カバーガラス面の曲率半径と略等しいことを特徴とする上記（４）に記載のカバーガラスを提供する。
【００２３】
上記（５）に記載する発明によれば、カバーガラスの内部構造側表面である第一カバーガラス面と空気の間の屈折効果と、カバーガラスの外界側表面である第二カバーガラス面と空気の間の屈折効果が打ち消し合うため、カバーガラスによるレンズ効果が低減されて、画像の歪みを生じ難くするという優れた効果を奏する。
【００２４】
（６）本発明は、上記（１）乃至上記（５）のうちのいずれかに記載の前記カバーガラスを備える前記撮像装置であって、筐体と、前記筐体に内蔵される光学レンズ群と、前記カバーガラス及び前記光学レンズ群を介して入射した光を受光する撮像素子とを更に備えることを特徴とする撮像装置を提供する。
【００２５】
上記（６）に記載する発明によれば、カバーガラスの内部構造側表面が撮像素子の撮像面からの反射光線をさらに反射して生じるゴーストがぼやけるので、ゴーストが目立ち難くい撮像装置を実現できるという優れた効果を奏する。
【００２６】
（７）本発明は、前記カバーガラスが前記筐体に固定されていることを特徴とする上記（６）に記載の撮像装置を提供する。
【００２７】
上記（７）に記載する発明によれば、携帯用電子機器等が搭載する、オートフォーカス機構などを有するレンズ群を含む撮像装置の内部構造を保護するために必要なカバーガラスについて、ゴーストを生じ難くさせるという優れた効果を奏する。
【００２８】
（８）本発明は、上記（７）に記載の前記撮像装置を備える携帯用電子機器を提供する。
【００２９】
上記（８）に記載する発明によれば、ゴーストが生じにくい撮像装置を搭載する携帯用電子機器が実現され得るという優れた効果を奏する。
【発明の効果】
【００３０】
本発明の請求項１〜８記載のカバーガラス、撮像装置、及び、携帯用電子機器によれば、ゴーストが低減される優れた画質の画像を取得できるという優れた効果を奏し得る。
【図面の簡単な説明】
【００３１】
【図１】撮像装置の構成図であり、ゴースト現象の原因についての説明図である。
【図２】本発明の実施形態に係る撮像装置の構成を説明する説明図である。
【図３】（Ａ）通常のカバーガラスを用いた場合における、撮像素子近傍における入射光線、反射光線の光路についての説明図である。（Ｂ）本発明の実施形態に係るカバーガラスを用いた場合における、撮像素子近傍における入射光線、反射光線の光路についての説明図である。
【図４】カバーガラスが有する曲率の効果についてのシミュレーション結果を示すグラフである。
【図５】（Ａ）カバーガラスが画像に与える影響を実験するための実験セットアップの構成図である。（Ｂ）通常の平板カバーガラスを用いた場合の実験結果である。（Ｃ）曲率半径  Ｒ＝２１３ｍｍのカバーガラスを用いた場合の実験結果である。
【図６】（Ａ）携帯用電子機器に付属する、通常の平板カバーガラスを用いた撮像装置によって撮影された、ゴースト現象を伴う夜間の街灯の画像である。（Ｂ）曲率半径  Ｒ＝１５７ｍｍのカバーガラスを用いた場合の夜間の街灯の画像である。
【図７】（Ａ）携帯用電子機器に付属する撮像装置の説明図である。（Ｂ）撮像装置の構成を説明する説明図である。
【図８】携帯用電子機器に付属する撮像装置によって撮影された、ゴースト現象を伴う夜間の街灯の画像である。
【発明を実施するための形態】
【００３２】
以下、本発明の実施の形態を添付図面を参照して説明する。
【００３３】
図２〜図６は発明を実施する形態の一例であって、図中、同一の符号を付した部分は同一物を表わし、基本的な構成は図に示す従来のものと同様である。
【００３４】
図２は、本発明の実施形態に係る撮像装置１の構成を説明する説明図である。撮像装置１は、図２上の左側が撮像装置１の外界であり、外界からカバーガラス５へ光がＺ方向正の向きに入射して、最終的に撮像素子２０に到達する。撮像装置１は、筐体７に固定されるカバーガラス５と、光学レンズ群（内部構造）１０と、ＩＲフィルタ１５と、撮像素子２０を備える。光学レンズ群（内部構造）１０はレンズフォルダ（図示省略）によって互いに位置関係を固定され、光学レンズ群（内部構造）１０は、ピント合わせのためアクチュエータ（図示省略）等でＺ方向に移動され得る。ＩＲフィルタ１５は、具体的には赤外領域の光を吸収及び反射する機能を有することで、撮像素子２０に入射する光を可視光領域に限定し、赤外領域に検出感度を持つ撮像素子２０により取得される画像が自然な色合いになるように補正する。
【００３５】
ＩＲフィルタ１５には、具体的にはブルーガラスと呼ばれる近赤外領域の光を吸収するリン酸塩あるいは弗リン酸塩を含むガラスを用いてよい。また赤外領域の光を反射するための誘電体多層膜構造を有してよい。
【００３６】
撮像素子２０は、具体的には例えばＣＭＯＳイメージセンサ、又は、ＣＣＤイメージセンサ等の固体撮像素子である。ＩＲフィルタ、ＣＭＯＳイメージセンサ、及び、ＣＣＤイメージセンサは、周知技術なので詳細については記載を省略する。
【００３７】
カバーガラス５において、内部構造側表面である第一カバーガラス面３０は、内部構造側に向かって凹面であり、その曲率半径Ｒは、５０００ｍｍ以下である。またカバーガラス５において外界側表面である第二カバーガラス面３５は、外界側に向かって凸面であり、その曲率半径は第一カバーガラス面３０と略等しい。カバーガラス５は、外界側に防汚コーティングがなされ、第一カバーガラス面３０側には誘電体多層膜による反射防止膜が形成されているが、周知技術なので詳細な記載は省略する。なおカバーガラス５の材料としては、例えば強化ガラスや、サファイアガラス、結晶化ガラスなどが考えられる。
【００３８】
なおカバーガラス５の曲率半径Ｒは２５ｍｍ以上がデザイン上、望ましい。Ｒが小さいと外界側へのカバーガラス５の出っ張りが例えば０．５ｍｍとなってしまうからである。
【００３９】
光学レンズ群（内部構造）１０については、例えば４枚〜５枚の合成樹脂製レンズの組み合わせである。レンズの組み合わせ、個々のレンズの形状等については周知技術なので記載を省略する。
【００４０】
カバーガラス５と光学レンズ群は別体であり、カバーガラス５と光学レンズ群の間の距離は０．３ｍｍ以上、望ましくは０．５ｍｍである。
【００４１】
なおカバーガラス５と筐体７については、一体の構造であってもよい。
【００４２】
図３（Ａ）は、通常のカバーガラスを用いた場合における、撮像素子近傍における入射光線、反射光線の光路についてのシミュレーション結果である。入射光は、撮像素子面２５の法線Ｎ（図１参照）に対してθ＝３°の入射角度を有する。この場合、入射光は、撮像面２５上に実像Ｒｅのように焦点を結び、撮像面２５からの第一反射光Ｒ１は、カバーガラス５（図１参照）向きの光路となる。そして、第一反射光線Ｒ１は、第一カバーガラス面３０（図１参照）で再び反射されて、第二反射光線Ｒ２となって撮像面２５上に焦点を結びゴーストＧを生成する。
【００４３】
図３（Ｂ）には、本発明の実施形態に係るカバーガラス５を用いた場合における、撮像素子２０近傍における入射光線Ｉ、第一反射光線Ｒ１、及び、第二反射光線Ｒ２の光路についてのシミュレーション結果を示す。本実験に用いたカバーガラス５において、第一カバーガラス面３０の曲率半径は、Ｒ＝２１０ｍｍである。入射光は、図３（Ａ）と同様に、撮像素子面２５の法線Ｎに対してθ＝３°の入射角度を有する。この場合、入射光は、撮像面２５上に実像Ｒｅのように焦点を結ぶ。このとき実像のスポットサイズをＲＳとする。さて撮像面２５からの第一反射光Ｒ１は、カバーガラス５（図１（Ｂ）参照）向きの光路となる。そして、第一反射光線Ｒ１は、第一カバーガラス面３０で再び反射されて、第二反射光線Ｒ２となって撮像面２５向きに向かうが、第一カバーガラス面３０が内部構造側に凹面の曲率を持つために、焦点Ｆが撮像面２５よりも光学レンズ群（内部構造）１０側に結ばれ、撮像面２５上では、ある程度広がったゴーストＧが形成されることになる。このときゴーストのスポットサイズをＧＳとする。
【００４４】
図４は、カバーガラス５の第一カバーガラス面３０が曲率を有する場合の、ゴーストＧに対する曲率の効果についてのシミュレーション結果を示すグラフである。図４のシミュレーションについては、入射光として、撮像素子面２５の法線Ｎに対してθ＝２°の入射角度を有する場合で計算した。光学レンズ群（内部構造）１０としては、４つの場合、具体的には５Ｐレンズ、すなわち５枚のレンズで構成される光学レンズ群１０のセットの場合と、４Ｐレンズすなわち４枚のレンズで構成される光学レンズ群１０のセットの場合と、焦点距離８ｍｍの単焦点レンズの場合と、焦点距離１２ｍｍの単焦点レンズの場合で比較した。
【００４５】
縦軸をゴーストのスポットサイズＧＳと実像のスポットサイズＲＳの比（ＧＳ／ＲＳ））とし（図３（Ｂ）参照）、横軸をカバーガラス５における第一カバーガラス面３０（図２参照）の曲率半径Ｒ（単位はｍｍ）とする。いずれのレンズ群についても、ゴーストの面積が、実像の面積の２倍以上となり、ゴーストにおける単位面積あたりの光量が、実像の半分以下になるのは、ＧＳ／ＲＳが１．５以上になる場合であり、具体的には、第一カバーガラス面３０の曲率半径Ｒが５０００ｍｍ以下の場合であることがわかる。
【００４６】
図５（Ａ）には、カバーガラス５が画像に与える影響を実験するための実験セットアップの構成図を示す。撮像装置１が備えるカバーガラス５の前で中心軸Ｃからずらした場所に、光源４０としてＬＥＤを５つ配置した。
【００４７】
図５（Ｂ）は、カバーガラス５として通常の平板ガラスを用いている場合の実験結果である。画像中心に対して実像Ｒｅと点対称の位置にゴーストＧが現れている。ゴーストＧとして、光源である５つのＬＥＤをそのまま反映した５つの虚像が形成されている。
【００４８】
これに対して図５（Ｃ）は、曲率半径  Ｒ＝２１３ｍｍのガラスをカバーガラスとして用いた場合の実験結果である。画像中心に対して実像Ｒｅと点対称の位置にゴーストＧが生じてはいるが、その像は薄く目立たなくなっており焦点が撮像面２５からはずれている効果が現れている（図３（Ｂ）参照）。
【００４９】
図６（Ａ）は、携帯用電子機器に付属する、カバーガラス５として通常の平板カバーガラスを用いた撮像装置１によって撮影された、ゴースト現象を伴う夜間の街灯の画像である。画像中心に対して、街灯の実像Ｒｅと点対称の位置にゴーストＧが現れている。
【００５０】
これに対して図６（Ｂ）は、曲率半径  Ｒ＝１５７ｍｍのガラスをカバーガラス５として用いた場合の実験結果である。画像中心に対して実像Ｒｅと点対称の位置にゴーストＧが生じてはいるが、その像は薄く目立たなくなっており焦点が撮像面２５からはずれている効果が現れている（図３（Ｂ）参照）。
【００５１】
本発明の実施形態にかかる撮像装置１によれば、カバーガラス５の内部構造側表面である第一カバーガラス面３０が凸面又は凹面であるため、カバーガラス５の内部構造側表面が撮像素子２０の撮像面２５からの反射光線Ｒ１をさらに反射した場合にも、撮像面２５で焦点を結ばなくなる。したがってゴーストＧがぼやけてゴーストが目立ち難くなり、撮像される画像の画質が向上するという優れた効果を奏する。
【００５２】
本発明の実施形態にかかる撮像装置１によれば、カバーガラス５の内部構造側表面が撮像素子２０の撮像面２５からの反射光線Ｒ１をさらに反射した場合にも、撮像面２５より光学レンズ群１０側で焦点Ｆを結ぶため、撮像素子２０の撮像面２５で焦点を結ばなくなる。したがってゴーストＧがぼやけてゴーストが目立ち難くなり、撮像される画像の画質が向上するという優れた効果を奏する。
【００５３】
本発明の実施形態にかかる撮像装置１によれば、カバーガラス５の内部構造側表面である第一カバーガラス面３０と空気の間の屈折効果と、カバーガラスの外界側表面である第二カバーガラス面３５と空気の間の屈折効果が、打ち消し合い得るので、カバーガラス５によるレンズ効果が低減されて画像の歪みを生じ難くするという優れた効果を奏する。
【００５４】
本発明の実施形態にかかる撮像装置１によれば、カバーガラス５の内部構造側表面である第一カバーガラス面３０と空気の間の屈折効果と、カバーガラスの外界側表面である第二カバーガラス面３５と空気の間の屈折効果が打ち消し合うため、カバーガラス５によるレンズ効果が低減されて、画像の歪みを生じ難くするという優れた効果を奏する。
【００５５】
本発明の実施形態にかかる撮像装置１によれば、携帯用電子機器等が搭載する、オートフォーカス機構などを有する光学レンズ群１０を含む撮像装置１の内部構造を保護するために必要なカバーガラス５について、ゴーストＧを生じ難くさせるという優れた効果を奏する。
【００５６】
本発明の実施形態にかかる撮像装置１によれば、ゴーストＧが生じにくい撮像装置１を搭載する携帯用電子機器が実現され得るという優れた効果を奏する。
【００５７】
尚、本発明のカバーガラス、撮像装置、及び、携帯用電子機器は、上記した実施の形態に限定されるものではなく、本発明の要旨を逸脱しない範囲内において種々変更を加え得ることは勿論である。
【００５８】
たとえば変形実施例として、カバーガラス５の第一カバーガラス面３０が内部構造側に対して凸面になっている場合も考えられる。このとき第二カバーガラス面３５が外界に対して凹面であり、第一カバーガラス面３０と第二カバーガラス面３５の曲率が略等しければ、レンズ効果が生じず、画像の歪みも生じ難い。
【００５９】
他の変形実施例としては、カバーガラス５の第一カバーガラス面３０が内部構造側に対して凹面で、第二カバーガラス面３５が平面である場合も考えられる。第一カバーガラス面３０の曲率が小さければ、レンズ効果も小さくなり画像の歪みも少なく、生産が容易であり、また筐体７の表面とカバーガラス５の表面が平坦に形成され得るので、デザイン的にも優れている。なお同様にカバーガラス５の第一カバーガラス面３０が内部構造側に対して凸面で、第二カバーガラス面３５が平面である場合も考えられる。
【００６０】
もちろんカバーガラス５の第一カバーガラス面３０が内部構造側に対して凹面で、且つ、第二カバーガラス面３５が外界に対して凹面の場合や、逆に第一カバーガラス面３０が内部構造側に対して凸面で、且つ、第二カバーガラス面３５が外界に対して凸面の場合も考えられる。この変形実施例の場合は、それぞれの曲率半径が大きければレンズ効果が小さいので画像の歪みも少なくなる。
【符号の説明】
【００６１】
１    撮像装置
５    カバーガラス
７    筐体
１０    光学レンズ群（内部構造）
１５    ＩＲフィルタ
２０    撮像素子
２５    撮像面
３０    第一カバーガラス面
３５    第二カバーガラス面
４０    光源
５０    高反射材
５５    低反射材
１０１    撮像装置
１０５    カバーガラス
１０７    携帯用電子機器の筐体
１１０    光学レンズ群（内部構造）
１１５    ＩＲフィルタ
１２０    撮像素子
１２５    撮像面
１３０    第一カバーガラス面
Ｃ    画像中心軸Ｃ
Ｆ    ゴーストを形成する光線の焦点Ｆ
Ｇ    ゴーストＧ
Ｉ    入射光線Ｉ
Ｒ    実像Ｒｅ
ＧＳ    ゴーストのスポットサイズＧＳ
ＲＳ    実像のスポットサイズＲＳ
Ｒ１    第一反射光線Ｒ
Ｒ２    第二反射光線Ｒ
【図１】
2019109384.tif 000003
【図２】
2019109384.tif 000004
【図３】
2019109384.tif 000005
【図４】
2019109384.tif 000006
【図５】
2019109384.tif 000007
【図６】
2019109384.tif 000008
【図７】
2019109384.tif 000009
【図８】
2019109384.tif 000010